(57)【特許請求の範囲】
【請求項１】
複数の待機モードを有する表示装置であって、
電源ＯＦＦ時に、前記複数の待機モードの選択を制御する制御部を備え、
前記制御部は、
人の存在の有無およびその動きを検出する人感センサと、
照度を検出する明るさセンサと、
前記人感センサの出力と、前記明るさセンサの出力とに基づいて、前記複数の待機モードからいずれかの待機モードを選択する選択部とを備え、
前記選択部が、前記人感センサの出力における、一定時間内に検出した人の動き量が所定値を超えるか否かに基づいて、前記待機モードを選択し、
前記動き量が、前記人感センサの出力における人の位置情報の、一定時間内の差分で表される、
表示装置。
【請求項２】
前記複数の待機モードには、省エネ待機モードと高速起動モードとが含まれ、
前記高速起動モードは、前記省エネ待機モードよりも速く表示装置を起動可能なモードであり、
前記選択部は、前記人感センサの出力における前記動き量が所定値を超える場合に前記高速起動モードを選択する、
請求項１に記載の表示装置。
【請求項３】
前記選択部は、前記人感センサの出力における前記動き量が所定値を超えない場合に、前記明るさセンサの出力および前記人感センサの出力に応じて前記省エネ待機モードを選択する、
請求項２に記載の表示装置。
【請求項４】
表示装置の表示動作を行う動作部をさらに備え、
前記制御部は、ユーザーからの指令を前記動作部に伝達し、
前記制御部に電力を供給する第１電源系統と、
前記動作部に電力を供給する第２電源系統とをさらに備え、
前記選択部において前記省エネ待機モードが選択された場合には、前記第１電源系統により電力を供給し、
前記選択部において前記高速起動モードが選択された場合には、前記第１電源系統および前記第２電源系統により電力を供給する、
請求項２または３に記載の表示装置。
【請求項５】
前記制御部は、電源ＯＮの時刻、日付の情報を記録するメモリーをさらに備え、
前記選択部は、前記メモリーにおける前記電源ＯＮの時刻、日付の情報に基づいて所定時間帯の使用頻度を学習し、前記使用頻度に基づいて前記複数の待機モードからいずれかの待機モードを選択する、
請求項１〜４のいずれかに記載の表示装置。
【発明の詳細な説明】
【技術分野】
【０００１】
本発明は表示装置に関し、特に複数の待機モードを有するディジタル放送受信装置において起動の高速化と消費電力の削減を可能とするものである。
【背景技術】
【０００２】
表示装置の一例としてのディジタル放送受信装置等においては、取り扱うデータの大量化、データ処理の高速化や、録画機能搭載等による高機能化により、リモコン等からディジタル放送受信装置への指示により電源が起動する際、電源の起動待機状態から、通常動作し通常利用状態になるまでの起動に要する時間が数十秒程度と長くなっている。すなわち、ディジタル放送受信装置の電源の起動待機状態から、ユーザーがリモコン等によりディジタル放送受信装置の電源をＯＮにして、ディジタル放送受信装置が通常動作するまでの起動に長い時間を要し、しばらく待たされる問題がある。
【０００３】
この問題を解決するには、ディジタル放送受信装置の中枢を制御するメインプロセッサと、メインプロセッサに接続されるメモリ、および外部とのインターフェースを含めたメインプロセッサに接続される回路ブロックに、起動待機状態においても電力を供給し続けることが必要となる。このようにすれば、高速で通常利用状態にすることはできる。しかしその場合、電源の起動待機状態における消費電力が大きくなってしまうというさらなる問題が生じる。
【０００４】
したがって通常は、起動待機状態において、リモコン等により電源を立ち上げる（電源待機状態から通常利用状態にする）機能のみ、すなわち最小限の機能を実現する回路素子にのみ電力を供給し、その他の回路素子へは電力を供給しない省エネ待機モードにしていた。
【０００５】
消費電力を抑えつつ起動時間を短縮する方法として、通常利用状態になるまでの時間はかかるが、消費電力を抑えた前述の省エネ待機モードと、ディジタル放送受信装置の中枢を制御するメインプロセッサ、メインプロセッサに接続されるメモリ、外部とのインターフェースを含めた、メインプロセッサに接続される回路ブロックに電力を供給し続け、高速に通常利用状態にすることができる高速起動モードとを双方有し、その高速起動モードに設定する設定値をユーザーが設定できるディジタル放送受信装置も提案されている。しかしその場合にも、高速で起動させる必要のない時、すなわちユーザーがリモコン等にてディジタル放送受信装置に通常動作する指示を出さない時間帯でも、無駄な電力を消費してしまう問題があった。
【０００６】
このような場合に消費電力を抑える方法として、明るさセンサによる周囲環境の監視、使用頻度の高い時間帯の観測、電子番組情報を利用した放送の多少などの情報と、ユーザーの設定とに応じ、電源の起動待機状態での省エネ待機モード、高速起動モードを自動で制御するものが提案されている（特許文献１参照）。
【先行技術文献】
【特許文献】
【０００７】
【特許文献１】特開２００８−１３１３６０号公報
【発明の概要】
【発明が解決しようとする課題】
【０００８】
特許文献１に示すような方法で省エネ待機モードと高速起動モードとを切り替える場合、明るさセンサによる室内が一定の明るさか否かの判定、電子番組表情報に基づく視聴する番組の多いか少ないかの判定、ユーザーによる高速起動モード使用時間帯の設定、その他ユーザーによる最後の操作から一定時間が経過しているか否かの判定など、ユーザーによる設定や毎日決まった条件による判定でモードの切り替えを行っている。よって、日中の明るい、視聴する番組が多い時間帯に、ユーザーが長時間の外出している場合や、旅行等でユーザーが長期間不在となり、その期間ディジタル放送受信装置を使用することがない場合においても、ユーザーによる設定や毎日決まった条件による判定でモードの切り替えを行い、無駄な電力を消費してしまうという問題があった。
【０００９】
本発明は上記のような問題を解決するためになされたものであり、起動時間を短縮しつつ、無駄な電力を消費しない表示装置を提供することを目的とする。
【課題を解決するための手段】
【００１０】
本発明は、複数の待機モードを有する表示装置であって、電源ＯＦＦ時に、複数の待機モードの選択を制御する制御部を備え、制御部は、人の存在の有無およびその動きを検出する人感センサと、照度を検出する明るさセンサと、人感センサの出力と、明るさセンサの出力とに基づいて、複数の待機モードからいずれかの待機モードを選択する選択部とを備え、選択部が、人感センサの出力における、一定時間内に検出した人の動き量が所定値を超えるか否かに基づいて、待機モードを選択し、動き量が、人感センサの出力における人の位置情報の、一定時間内の差分で表される。
【発明の効果】
【００１１】
本発明によれば、複数の待機モードを有する表示装置であって、電源ＯＦＦ時に、複数の待機モードの選択を制御する制御部を備え、制御部は、人の存在の有無およびその動きを検出する人感センサと、照度を検出する明るさセンサと、人感センサの出力と、明るさセンサの出力とに基づいて、複数の待機モードからいずれかの待機モードを選択する選択部とを備え、選択部が、人感センサの出力における、一定時間内に検出した人の動き量が所定値を超えるか否かに基づいて、待機モードを選択し、動き量が、人感センサの出力における人の位置情報の、一定時間内の差分で表されることにより、一日単位の不在や長時間外出時等、表示装置を使用する可能性がないと判断した場合、すなわちユーザーが表示装置の近くにいない場合には、日中の明るい時間帯等でも省エネを実現し、人の動きを検出したら高速での起動を実現する待機モードの選択が可能となる。
【図面の簡単な説明】
【００１２】
【図１】実施の形態１にかかる表示装置の構成を示すブロック図である。
【図２】実施の形態１にかかる表示装置の動作のフローチャートである。
【発明を実施するための形態】
【００１３】
＜Ａ．実施の形態１＞
＜Ａ−１．構成＞
図１は本発明にかかるディジタル放送受信装置の構成を示す代表的なブロック図である。図１に示すようにディジタル放送受信装置１００は、制御部１０１と、動作部１０２と、電源１２とから構成される。
【００１４】
制御部１０１は、表示装置本体のスイッチ、リモコン等のユーザー制御部１と、ディジタル放送受信装置１００の周囲の照度を計測、検出する明るさセンサ２と、ディジタル放送受信装置１００の周囲の人の存在の有無およびその動きを検出する人感センサ３と、メモリー５と、それらが接続され、それらの出力に基づいて、後述の複数の待機モードからいずれかの待機モードを選択する選択部としてのＣＰＵ４とを備える。
【００１５】
動作部１０２は表示装置であるディジタル放送受信装置１００の表示動作を行うものであり、地上放送、衛星放送受信用のチューナー６と、ディジタル放送受信装置１００に対する外部入力および出力の端子部７と、チューナー６と端子部７とに接続され、映像および音声の入出力信号を処理する前段信号処理ブロック８と、前段信号処理ブロック８、ＣＰＵ４、プログラムやデータを格納するフラッシュメモリ１０、データを一時的に格納するＤＲＡＭ１１それぞれに接続されるメインプロセッサ９と、メインプロセッサ９に接続され、メインプロセッサ９の出力を表示デバイス１４（ＬＣＤ、ＰＤＰ、有機ＥＬ）等に供給するための信号処理をする後段信号処理ブロック１３とを備える。
【００１６】
制御部１０１におけるＣＰＵ４は、ユーザー制御部１、明るさセンサ２、人感センサ３からの信号を受け、動作部１０２におけるメインプロセッサ９にユーザーからの指令を伝達し、また、明るさセンサ２、人感センサ３の出力に基づいて電源１２を制御する。
【００１７】
動作部１０２における前段信号処理ブロック８は、チューナー６、端子部７からの信号を用いて、メインプロセッサ９と信号インターフェースを行う。
【００１８】
動作部１０２における後段信号処理ブロック１３は、メインプロセッサ９からの信号を用いて、表示デバイス１４と信号インターフェースを行う。
【００１９】
電源１２は、制御部１０１および動作部１０２に必要なＤＣ電源による電力を供給する。ここで、ディジタル放送受信装置１００には、商用電源のＡＣが接続されていれば起動待機状態であっても常時制御部１０１に電力を供給する電源系統１０００と、ＣＰＵ４の制御により動作部１０２への電力供給の有無を切り替えられる電源系統２０００とが備えられ、電源系統１０００は制御部１０１へ、電源系統２０００は動作部１０２へ接続されている。ユーザー制御部１を介してユーザーが起動待機状態から通常利用状態への切り替え指令を出した場合、その信号を受けたＣＰＵ４からの制御により電源系統２０００がＯＮとなる。
【００２０】
動作部１０２におけるメインプロセッサ９は、プログラムが格納してあるフラッシュメモリ１０からプログラムをダウンロードし、チューナー６、前段信号処理ブロック８、後段信号処理ブロック１３などの信号処理回路の起動処理を行う。
【００２１】
＜Ａ−２．動作＞
放送のディジタル放送化に伴い、ＭＰＥＧ信号のエンコード、ハイビジョン信号処理には多くのデータ処理が必要なため、回路規模、プログラムの容量も増加し、従来のアナログ放送受信装置と比べ起動に時間を要し、数十秒から１分程度の時間を必要とする。
【００２２】
この起動時間短縮のため、起動待機状態における複数の待機モードとして、電源系統１０００のみに電力を供給し、消費電力を抑える省エネ待機モードと、電源系統１０００および電源系統２０００に電力を供給し、省エネ待機モードよりも速く表示装置であるディジタル放送受信装置１００を起動可能な高速起動モードとを設ける。
【００２３】
高速起動モードでは、電源系統２０００のメインプロセッサ９と、その周辺回路であるチューナー６、前段信号処理ブロック８、後段信号処理ブロック１３、フラッシュメモリ１０、ＤＲＡＭ１１に電力を供給し、予めプログラムのダウンロード、各回路素子の初期化処理をしておく。よってこのモードにしておけば、ユーザーから電源をＯＮにする指令を受けた場合に、瞬時で起動し視聴が可能となる。
【００２４】
図２は本発明にかかる表示装置の動作を示すフローチャートである。図を用いて当該動作を以下に説明する。
【００２５】
リモコンまたは本体スイッチを操作することにより、ディジタル放送受信装置１００の電源がＯＦＦ（ステップＳ１）となった後、制御部１０１におけるＣＰＵ４は、電源系統１０００および電源系統２０００に電力を供給する高速起動モードに設定する（ステップＳ２）。
【００２６】
ＣＰＵ４はさらに、人感センサ３から出力された信号を内部のメモリー５に格納する。そして格納された情報から人がいるかどうかを判定し（ステップＳ３）、人がいるか否かの判定の情報Ｄとその人の位置情報Ｐとを、メモリー５内のあらかじめプログラムにより決められたアドレスＡ（１）に格納する。
【００２７】
以下の説明では、例えば情報Ｄは、人が検出された場合は「１」、検出されない場合は「０」を格納するものとし、位置情報Ｐは、その座標アドレス番号を格納するものとする。人が検出されない場合の位置情報Ｐは固定値「０」を格納するものとする。
【００２８】
ＣＰＵ４は、時間Ｔ１後に人感センサ３から出力された信号に対しても同様の処理を行い、このときの情報Ｄ、位置情報Ｐを、前回とは異なるアドレスＡ（２）に格納する。この処理をＮ回繰り返し行い、その情報Ｄ、位置情報Ｐをメモリー５のアドレスＡ（Ｎ）に書き込む。そして、メモリー５に格納されたＮ個のデータ（情報Ｄ、位置情報Ｐ）の比較を行う。Ｎ＋１回目以降の人感センサ３からの出力に対しては、アドレスＡ（１）、Ａ（２）と順にデータを上書きしていく。
【００２９】
情報Ｄが「１」である場合、そのときの位置情報Ｐとその次の位置情報Ｐとの差分を計算し、これを合計する。その合計値は一定時間における動き量を示し、その値が基準値Ｍ１よりも大きい場合（ステップＳ４）、ディジタル放送受信装置１００を操作される可能性があるため、選択部としてのＣＰＵ４は高速起動モードとするよう制御を行う（ステップＳ２）。既に高速起動モードである場合にはそれを維持する。
【００３０】
人の検出の判定情報である情報Ｄがすべて「０」であった場合（ステップＳ３）、すなわち人がいないと判定されている場合、または、位置情報Ｐの差分データの合計がＭ１よりも低い場合（ステップＳ４）は、ステップＳ５に移行する。ここで、位置情報Ｐの差分データの合計がＭ１より低い、すなわち動きの頻度が低い場合とは、人感センサ３で検出可能な空間範囲において、人が寝ていること等を想定しており、ディジタル放送受信装置１００を使用する確率が低いときに、そのときの寝返り等により不適切な挙動（高速起動モードにする等）を防止するために基準値Ｍ１が設定されるものである。
【００３１】
ステップＳ５において、ＣＰＵ４に備えられる時計機能を利用し、現在の時刻が使用頻度の低い時間帯として予め設定されたＴ０（たとえば０時から６時）であるかどうかを判定する。時刻が使用頻度の低い時間帯であるＴ０であれば、ＣＰＵ４は明るさセンサ２から出力される信号に基づいて、照明を消している状態または薄暗い状態を示す基準値Ｌ１より低いかを判定する（ステップＳ６）。これは寝るため、又は外出のために照明を消した状態であるかを判断するための基準値である。
【００３２】
その時間帯がＴ０でかつ明るさセンサ２の検出値がＬ１以下である場合（ステップＳ６）には、人感センサ３による一定時間の動き量がＭ１以下である時間がＴ１以上続いているか否かを判定する（ステップＳ７）。Ｔ１以上継続している場合は、視聴する確率は低いと判断し、省エネ待機モードへ移行する（ステップＳ９）。Ｔ１以上継続していない場合は、Ｂへ戻り、人の検出をする処理をする（ステップＳ３）。
【００３３】
その時間帯がＴ０以外である場合、または、周囲の明るさがＬ１以上である場合は、人感センサ３による一定時間の動き量がＭ１以下である時間がＴ２以上続いているか否かを判定し（ステップＳ８）、条件を満たす場合には省エネ待機モードへ移行し（ステップＳ９）、Ｔ２以上続いていない場合はＢへ戻り、人の検出をする処理をする（ステップＳ３）。
【００３４】
また、時間帯によって、人感センサ３の出力の変化を観測した結果の判断フローを分けることにより、起動待機状態における各モードへの遷移のしやすさを個別に調整することが可能となり、ユーザー設定により、時間帯を加味して、省エネ優先、操作性優先との選択を可能とする機能について説明する。
【００３５】
省エネ待機モードに入ると（ステップＳ９）、ＣＰＵ４は、自身に備えられる時計機能を利用し、現在の時刻が使用頻度の低い時間帯Ｔ０であるかどうかを判断し（ステップＳ１０）、また明るさセンサ２、人感センサ３を常時監視する。
【００３６】
現在の時刻が使用頻度の低い時間帯Ｔ０であれば、明るさセンサ２のデータを分析する（ステップＳ１１）。明るさセンサ２の出力の値をＣＰＵ４で一定周期観測し、毎回の出力値をＣＰＵ４内のＲＡＭに格納し、現在の出力値とその前に観測した出力値との差分を計算する。ＲＡＭの値は、現在とその前に出力値を順次更新し、計測のたびに、明るさの瞬時的な変化が計算し、その差分がＬ３以上になれば、照明がつけられたかまたは夜が明けて周囲が明るくなった等、環境の変化が大きくなったことを意味し、ディジタル放送受信装置１００が使用される確率が高いと推測されるため、Ａに戻り高速起動モードへ移行する（ステップＳ２）。
【００３７】
明るさの変化がＬ３以下であれば（ステップＳ１１）、人感センサ３で一定時間の動き量を検出し（ステップＳ１３）、これが基準値Ｍ３を超えていれば、Ａに戻り高速起動モードへ移行する（ステップＳ２）。Ｍ３を超えない場合は、Ｃに戻り、処理を行う（ステップＳ１０）。
【００３８】
その時間帯が使用頻度の低い時間帯Ｔ０以外であれば（ステップＳ１０）、人感センサ３で一定時間の動き量を検出し、その値が基準値Ｍ２を超えていれば（ステップＳ１２）、Ａに戻り高速起動モードへ移行する（ステップＳ２）。動き量がＭ２を超えない場合は（ステップＳ１２）、Ｃに戻り、処理を行う（ステップＳ１０）。ここでも、検出の時間帯により人感センサ３の感度を個別に設定することで、就寝中の様々な挙動による動き量の誤認識等を抑える効果が期待できる。
【００３９】
使用頻度の低い時間帯の定義は、深夜時間帯（ＡＭ０時〜６時など）を標準設定とするが、時間を設定できる機能をユーザーの好みに応じて変更することも可能である。さらには、以下に説明する機能により、ユーザーの使い方に応じた時間帯の設定が可能である。
【００４０】
例えば、ディジタル放送受信装置１００の電源がＯＮとなっている時刻を、日付とともにメモリー５に格納する。そこからユーザー固有の使い方のパターンを、曜日、季節などと関連づけて学習し、実際のユーザーの使用状態に近い予測を行い、使用頻度が低いか高いかの時間帯ごとの使用頻度情報とする。
【００４１】
また、人感センサ３による人の動き量の検出方法について、人がいる場合と人がいない時とで判断方法を以下のように考慮することで、その精度を上げることができる。
【００４２】
一般的に人感センサ３は、赤外線を利用しているため、人と同じ赤外線（熱源）と本当の人とを区別できない。したがって、その熱源に動きがある場合に、人がいるとの判断をすることになる。
【００４３】
本発明では、人が寝ているときの寝返り等の動きによって人がいるとの判断しないよう、数秒単位の一定時間における動きの有無をカウントし、誤認識が起きないような適切な値を決める。
【００４４】
＜Ａ−３．効果＞
本発明にかかる実施の形態１によれば、複数の待機モードを有する表示装置であって、電源ＯＦＦ時に、複数の待機モードの選択を制御する制御部１０１を備え、制御部１０１は、人の存在の有無およびその動きを検出する人感センサ３と、照度を検出する明るさセンサ２と、人感センサ３の出力と、明るさセンサ２の出力とに基づいて、複数の待機モードからいずれかの待機モードを選択する選択部であるＣＰＵ４とを備えることで、一日単位の不在や長時間外出時等、表示装置を使用する可能性がないと判断した場合、すなわちユーザーが表示装置の近くにいない場合には日中の明るい時間帯等でも省エネ待機モードを選択し、人の動きを検出したら高速起動モードを選択することが可能となる。
【００４５】
また、本発明にかかる実施の形態１によれば、表示装置において、複数の待機モードには、省エネ待機モードと高速起動モードとが含まれ、高速起動モードは、省エネ待機モードよりも速く表示装置を起動可能なモードであり、選択部であるＣＰＵ４は、人感センサ３の出力が所定値を超える場合に高速起動モードを選択することで、人の動きを検出したら高速起動モードを選択して速い起動を実現できる。
【００４６】
また、本発明にかかる実施の形態１によれば、表示装置において、選択部であるＣＰＵ４は、人感センサ３の出力が所定値を超えない場合に、明るさセンサ２の出力および人感センサ３の出力に応じて省エネ待機モードを選択することで、人の動きが検出されない場合に、所定の明るさ等を考慮して省エネ待機モードを選択して消費電力を抑制できる。
【００４７】
また、本発明にかかる実施の形態１によれば、表示装置において、表示装置の表示動作を行う動作部１０２をさらに備え、制御部１０１は、ユーザーからの指令を動作部１０２に伝達し、制御部１０１に電力を供給する第１電源系統である電源系統１０００と、動作部１０２に電力を供給する第２電源系統である電源系統２０００とをさらに備え、選択部であるＣＰＵ４において省エネ待機モードが選択された場合には、電源系統１０００により電力を供給し、ＣＰＵ４において高速起動モードが選択された場合には、電源系統１０００および電源系統２０００により電力を供給することで、高速起動モードで速い起動が可能になり、かつ省エネ待機モードでは消費電力を抑制することができる。
【００４８】
また、本発明にかかる実施の形態１によれば、表示装置において、制御部１０１は、電源ＯＮの時刻、日付の情報を記録するメモリー５をさらに備え、選択部であるＣＰＵ４は、メモリー５における電源ＯＮの時刻、日付の情報に基づいて所定時間帯の使用頻度を学習し、使用頻度に基づいて複数の待機モードからいずれかの待機モードを選択することで、時間帯ごとの使用頻度を考慮した待機モードの選択が可能となり、速い起動および消費電力の抑制の効果をさらに高めることができる。
【産業上の利用可能性】
【００４９】
本発明の活用例として、テレビジョン受信機を始め、ハードディスクやＤＶＤ、ブルーレイディスクドライブ装置を内蔵した録画機器等にも応用することができる。
【符号の説明】
【００５０】
１  ユーザー制御部、２  明るさセンサ、３  人感センサ、４  ＣＰＵ、５  メモリー、６  チューナー、７  端子部、８  前段信号処理ブロック、９  メインプロセッサ、１０  フラッシュメモリ、１１  ＤＲＡＭ、１２  電源、１３  後段信号処理ブロック、１４  表示デバイス、１００  ディジタル放送受信装置、１０１  制御部、１０２  動作部、１０００，２０００  電源系統。
【図１】
0005595012.tif 000002
【図２】
0005595012.tif 000003